(57)【特許請求の範囲】
【請求項１】
少なくとも公共給水システムの圧力に耐えることができる温水器であって、該温水器は、公共給水システムに接続可能である給水管（３）と水抜きタップに接続可能である排水管（４）とを有する少なくとも１つの温水容器（１）を含み、少なくとも１つの温水容器（１）は前記温水容器（１）内に収容される加熱素子（５）と温度調節器（２５）とをさらに含み、少なくとも１つの前記温水容器（１）は略円柱状のジャケット壁（１ａ，９）と２つの端壁（１ｂ，８）とを含み、少なくとも１つの前記温水容器（１）は多くとも２０リットルの容量を有する温水器において、
温水容器の少なくとも円柱壁部（１ａ，９）は厚みが２ｃｍ以下の真空断熱ジャケット（２）で断熱され、前記温水容器内の湯は少なくとも１００℃に保たれ、該真空断熱ジャケット内の圧力は、断熱されるべき表面積の単位面積あたりの熱損失が、断熱ジャケットに囲まれる内部空間（１）と周囲空間との間の温度差が少なくとも９０℃であって、かつ断熱ジャケットの厚みが多くとも約２ｃｍのとき、１平方メートルあたり２００ワット以下となるように、１０-2ミリバール未満に設定され、
前記真空断熱ジャケット内の真空空間には、少なくとも１層の反射フォイル（１６）が配置され、
前記真空断熱ジャケット（２）は、内壁（９）と外壁（１０）とを含み、
前記内壁（９）と前記外壁（１０）とは少なくとも１つの接続端（１１，２１）のみで連結され、該接続端（１１，２１）は前記温水容器（１）内の水から離れて位置し、その間隔は前記温水容器（１）位置での前記内壁（９）と前記外壁（１０）との間隔よりも大きく、
前記接続端（１１，２１）と前記温水容器（１）との間隔は断熱ジャケット壁部（１２）によって埋められ、前記断熱ジャケット壁部（１２）は、ステンレス鋼から製造されて比較的低い熱伝導係数を有し、
前記断熱ジャケット（２）には、前記少なくとも１つの接続端（１１，２１）によって少なくとも１つの開口部が規定され、当該開口部により前記温水容器（１）の端壁（１ｂ，８）への接近が可能となることを特徴とする請求項１記載の温水器。
【請求項２】
前記排水管は前記温水容器内の上部に接続され、前記給水管は前記温水容器内の下部に水を供給するように設けられ、
前記温水容器（１）の高さ／直径比は１．５／１以上であることを特徴とする請求項１記載の温水器。
【請求項３】
少なくとも１つの略カップ型空間が前記断熱ジャケット（２）内の前記開口部によって形成され、前記断熱ジャケット壁部（１２）は少なくとも１つのカップ形状空間の側面の限界を規定し、前記温水容器の前記端壁（１ｂ，８）は少なくとも１つのカップ型空間の底面の限界を規定し、カップ型空間は少なくとも部分的に断熱材料（１４，２３）で充填されることを特徴とする請求項１または請求項２記載の温水器。
【請求項４】
前記断熱ジャケット壁部（１２）は、薄壁であることを特徴とする請求項１〜３のいずれかに記載の温水器。
【請求項５】
温水容器の容量が３〜７リットルのとき、前記接続端（１１，２１）と前記温水容器（１）との間隔が少なくとも５ｃｍであることを特徴とする請求項１〜４のいずれかに記載の断熱された温水器。
【請求項６】
前記温水容器（１）は、水密に封止する、取り外し可能なカバー（８）を含み、前記カバーは、前記温水容器（１）内の開口部を封止し、該温水容器を通過して加熱要素（５）が取り外し可能であり、前記断熱ジャケット（２）内の開口部は、前記温水容器（１）のカバー（８）が前記断熱ジャケット（２）内の開口部を介して取り外しできるほど大きいことを特徴とする請求項１〜５のいずれかに記載の温水器。
【請求項７】
前記断熱ジャケット（２）の内壁（９）は、少なくとも、前記温水容器（１）の円柱ジャケット壁も形成することを特徴とする請求項１〜６のいずれかに記載の温水器。
【請求項８】
前記真空断熱ジャケット（２）の内壁は、前記温水容器（１）の端壁（１ｂ）も形成し、真空断熱ジャケット（２）は当該端壁（１ｂ）の断熱もすることを特徴とする請求項７記載の断熱された温水器。
【請求項９】
前記温水容器（１）と断熱ジャケット（２）とは個別の部品であり、前記温水容器（１）は、断熱ジャケット（２）内に滑動可能に設けられることを特徴とする請求項１〜８のいずれかに記載の温水器。
【請求項１０】
前記断熱ジャケット（２）は、２重壁の円柱状素子として設けられ、該断熱ジャケットの前記外壁（１０）と前記内壁（９）とは先端で連結され、２つの先端はそれぞれカップ型空間を規定し、前記カップ型空間は断熱材料（１４，２３）を収容することを特徴とする請求項７記載の温水器。
【請求項１１】
前記外壁（１０）は大気圧に耐え、使用中、損傷を防ぐために十分な強度があり、前記内壁（９）は、低い熱伝導率を有する薄い金属板部から製造されることを特徴とする請求項１〜１０のいずれかに記載の断熱された温水器。
【請求項１２】
前記温度調節器（２５）は、前記温水容器（１）内を１００℃より高い温度に維持するように調節可能であることを特徴とする請求項１〜１１のいずれかに記載の温水器。
【請求項１３】
前記断熱ジャケット（２）内の真空空間内には、真空を向上させるために、加熱によって起動されるゲッター材料（１７）が設けられることを特徴とする請求項１〜１２のいずれかに記載の温水器。
【請求項１４】
前記外壁（１０）は鋼板から製造され、前記内壁（９）はクロムニッケル鋼から製造されることを特徴とする請求項１〜１３のいずれかに記載の温水器。
【請求項１５】
前記外壁（１０）は、約０．４〜１．０ｍｍの厚みを有し、前記内壁（９）は、約０．２〜０．４ｍｍの厚みを有することを特徴とする請求項１４に記載の温水器。
【請求項１６】
混合装置（１９）は、前記温水容器（１）からの温水と、公共給水システムからの冷水とを混合するように備えられることを特徴とする請求項１〜１５のいずれかに記載の温水器。
【発明の詳細な説明】
【０００１】
本発明は、少なくとも公共給水システムの圧力に耐えることができる温水器に関し、該温水器は、公共給水システムに接続可能である給水管と、水抜きタップに接続可能である排水管とを有する少なくとも１つの温水容器を含み、少なくとも１つの温水容器は、該温水容器内に収容される加熱素子と温度調節器とをさらに含み、該温水容器は略円柱状のジャケット壁と２つの端壁とを含む。
【０００２】
このような装置は、米国特許公報  ＵＳ−Ａ−４９７４５５１号から既知であるが、該公報は、給水管が公共給水システムに接続可能であることを明確には記載していない。米国特許公報  ＵＳ−Ａ−４９７４５５１号は、プラスチック製の温水器に関する。容器は真空断熱ジャケットを用いて断熱されることが該公報に確かに記載されているが、実際にはプラスチックは気密機能には全く不適切である。さらに時間が経つにつれプラスチックは大量の気体を放出し、ジャケット内の真空を解消する。したがって既知の装置において、断熱のために必要とされる真空は、全く存在しない。したがって該公報は、グラスウールまたはウレタン発泡体などの断熱材を用いてジャケットを断熱することを提案している。該米国特許公報から既知である装置において、本発明のさらなる実施の形態の中で提案される約１０-2ミリバールの真空は、絶対に実現できない。
【０００３】
このような装置の他の例は、実質的に１００℃の湯を供給する装置がイギリス特許  第１３７３９９０号から既知である。既知の装置は、プラスチック発泡体の断熱材を備える。通常、連続的に高温に維持される緩衝溶液タンクとしての温水容器を有する繁用されるタイプの装置の、環境への配慮から近年ますます感じられる欠点は熱損失である。特に、少量の温水を頻繁に瞬時に供給するとき、この欠点が問題となる。該公報において、断熱材料を向上し、より厚い層を用いることによって熱損失を解決しようとしている。両方のアプローチ方法は、少なくとも８０℃以上の温度で加熱する多くとも２０リットルの容量の小型温水器の場合に満足な結果を得られない。実際には、たとえば高品質のポリウレタン発泡体の断熱特性よりもかなり良い断熱特性を、安価に得ることはほぼ不可能であり、省エネルギに配慮して４ｃｍの層厚が妥当である。断熱ジャケットの層厚を厚くして用いると、所望の結果には到達しない。なぜなら少量の温水または熱湯を瞬時に供給する装置は、水抜き点と加熱容器との間の中間パイプの冷却によって冷却されることによる、時間損失、水損失およびエネルギ損失を防ぐために、加熱容器はできるだけ水抜き点の近くに位置する必要があるからである。たとえば家のキッチンのキッチンキャビネットにおける水切り台下方のシンク近傍などの水抜き点近傍では、通常、あまりにも少ない空間しか存在せず、十分厚い断熱ジャケットを有する温水器を配置することができない。したがって、このような場面で用いられる加熱機器の外形寸法をできるだけ小さくすることが重要となる。洗面台下の温水蛇口近傍に温水器を配置する場合も、省エネルギの市場部門を広げるために、十分高温の十分な水容量を維持しつつ、最小限の寸法が必要となる。
【０００４】
容量２０リットル未満の小型円柱温水容器の全断熱層は、水の容積に比較してより多くの空間を占有する。２／１の高さ／直径比を有する小型直立円柱タンクを例にとると、直径１２．４ｃｍのとき容量は３リットルである。この円柱が側壁と端壁でわずか３ｃｍの厚みの断熱層で被覆される場合、全体の容積は８リットルを超えてしまう。この場合、３リットルの容積を断熱層を用いて断熱するために５リットル以上の断熱容積が必要となり、断熱層の厚みは、実際には環境に配慮して日夜電源が投入される機器には４ｃｍ以上の厚みが必要である。このことは空調空間で適切なタイプの温水器を用いる場合に特にあてはまる。
【０００５】
本発明の目的は、高い断熱性を有する小型温水器を供給することである。この目的のため、冒頭の段落で記載されるタイプの温水器は、少なくとも温水容器の円柱壁部は真空断熱ジャケットで断熱され、該ジャケット内の圧力は１０-2ミリバール未満であり、断熱されるべき表面積の単位面積あたりの熱損失は、断熱ジャケットに囲まれる内部空間（１）と周囲空間との間の温度差が少なくとも９０℃であって、かつ断熱ジャケットの厚みが多くとも約２ｃｍのとき、１平方メートルあたり２００ワット以下であることを特徴とする。
【０００６】
少なくとも温水容器の円柱ジャケット壁を被覆する真空断熱ジャケットを用いる場合、１ｃｍまたはより薄い厚みの断熱壁であっても、厚み４ｃｍのポリウレタン発泡体よりも良い断熱特性を有することがわかった。円柱の一端面または両端面に従来の厚い断熱層を用いる場合、少なくとも温水容器の円柱壁部を真空断熱ジャケットを用いて断熱することによって、全加熱タンクの外側容積がいかに小さくなるか、および１００℃以上の湯温を用いるときでも、実際にどれだけ大幅に熱損失が減少されるかがわかる。本発明に従えば、断熱ジャケットは断熱されるべき表面積の単位面積あたりの熱損失が、断熱ジャケットに囲まれる内部空間と周囲空間との間の温度差が少なくとも９０℃であって、かつ断熱ジャケットの厚みが約２ｃｍ以下のとき、１平方メートルあたり２００ワット以下であるように形成される。
【０００７】
多くとも２ｃｍ、好適には約１ｃｍの厚みを有する真空断熱ジャケットを用いて上述のような断熱値を得るために、１０-2ミリバール未満、好適には１０-3ミリバールまたはそれ以下の内部圧力を有する高真空が用いられる。
【０００８】
本発明のさらなる実施の形態に従うと、温水容器の円柱壁部が真空断熱ジャケットで断熱され、該ジャケットの内壁と外壁とは少なくとも１つの連結端位置で連結され、該連結端は温水容器内の水から離れて位置し、その間隔は温水容器位置での内壁と外壁との間隔よりも大きく、断熱ジャケット壁部によって連結端と温水容器との間隔が埋められることが非常に望ましい。このようにして得られる効果は、断熱ジャケット壁部が高温である温水容器と周囲温度である真空断熱ジャケットの外壁との間のヒートブリッジを形成することである。断熱ジャケット壁部の高さを増すことによって、断熱ジャケット壁部の材料の厚みを減らすことによって、および低い熱伝導率を有する断熱ジャケット壁部用の材料を選択することによって、ヒートブリッジの熱抵抗を増加することができる。このようにして、熱伝導の結果として不可避である熱損失を大幅に減少することができる。
【０００９】
さらに、各連結端が温水容器に接近できる断熱ジャケット内の開口部を規定することが非常に望ましい。このようにして、加熱素子などの交換、およびスケール除去が可能となり、さらに所望であれば給水開口部および排水開口部のための通路が設けられる。
【００１０】
真空断熱ジャケットによって断熱されない温水容器の壁部を可能な限り制限するために、温水容器の高さ／直径比は少なくとも１．５／１であることが望ましい。
【００１１】
欧州特許出願  ＥＰ−Ａ−０３０９１９８号は、温水容器を含む温水器を開示しており、該温水容器は真空断熱ジャケットによって断熱される。しかしながら該公報は、このような装置において加熱手段がタンク内に収容されることは望ましくないことを明確に記載しており、なぜなら真空断熱ジャケット内になければならない開口部と関連して装置の製造費がかなり増大するからである。さらに該公報は、容器内に配置される加熱素子を用いる加熱によって、冷水と既にタンク内に存在する温水との混合が発生し、ある量の温水を水抜きした後、所望の温度の温水を瞬時に供給することは不可能であると記載している。したがって該公報は、加熱素子をタンク外側に配置し、加熱素子を瞬間加熱素子として形成することを提案している。この解決策の問題点は当然ながら、瞬間加熱素子が断熱されていないので、瞬間加熱素子で熱損失が発生することである。このような瞬間加熱素子が断熱されなければならないとすれば、断熱発泡体を用いて断熱が行われるが、結果として寸法が大きくなり望ましくない。さらに加熱コイルは液体よりもかなり高温を有し、断熱材料の選択を困難なものにする。本発明の装置において、付随する問題にかかわらず加熱素子をタンク内に配置したままで、真空断熱ジャケット内の開口部だけを他の断熱形態で断熱することによってこの問題は解決され、該開口部を通過して加熱手段がタンク内に伸長する。
【００１２】
ＷＯ−Ａ−８５／０１７９０号は、真空断熱ジャケットを含むソーラーボイラに関する。該公報は、断熱性は真空断熱ジャケットによって影響されること以上のことは当業者に教示していない。さらに該公報は、温水容器内に加熱素子を配置することを開示していないので、本発明と関連性がない。さらに既知の装置は温度調節器が設けられておらず、タンクは円柱状ではなく球状である。既知の装置における外側ジャケットの半分の透明な球形シェルがどのように相互連結されるかが明確ではなく、長期間維持される真空がどのように該ジャケット内に生成されるかが明確ではない。さらに真空の高さに関して該公報から導き出されるものは何もない。真空がほぼ１００％であるという情報は、当業者にとって無意味なものである。配管通路位置での内側タンクと外側シェルとの間の連結はさらには記載されておらず、漏水しやすい個所を形成する。
【００１３】
米国特許公報  ＵＳ−Ａ−３８３０２８８号は、蓄熱装置用断熱ジャケットに関し、該蓄熱装置は安価な電流で加熱され、日中は該装置が配置される空間に熱を放出する。このような蓄熱装置は窓の下に位置することが望ましいので、平坦かつ長方形の形状を有する。したがって該公報は、公共給水システムに接続可能である給水管と水抜きタップに接続可能である排水管とを有する温水容器を含む温水器に関するものではない。さらに該公報に記載される断熱ジャケットはガスで充填される。このことは、温水容器の断熱のために高真空を提案する本発明とは対照的なものである。
【００１４】
したがって上述のいずれの公報も、真空断熱ジャケットを含む冒頭の段落で記載されるタイプの温水器を開示していない。さらに、これらの公報は、断熱ジャケットが、断熱されるべき表面積の単位面積あたりの熱損失は、断熱ジャケットに囲まれる内部空間と周囲空間との間の温度差が少なくとも９０℃であって、かつ断熱ジャケットの厚みが多くとも約２ｃｍのとき、１平方メートルあたり２００ワット以下であるように形成される温水器を開示していない。真空である断熱ジャケット内の圧力が１０-2ミリバール未満であるので、上述の様な断熱値が得られる。
【００１５】
本発明のさらなる実施の形態は、従属クレームの中で記載され、以下に添付の図表を参照し、安価に製造でき環境的にも再利用可能であり、少しの空間しか占有せず殆ど熱損失の無い断熱部を有する温水加熱機器の、それに限らない４つの実施例に基づいて詳細に説明されるであろう。
【００１６】
図１は、円柱壁部９および温水容器１の底部１ｂの両方が真空断熱ジャケット２によって断熱される温水器を示す。温水容器１は、給水管３を介して給水本管に、排水管４を介して水抜きタップに接続可能である。さらに、温水器１は加熱素子５と電子温度調節器２５を有する温度センサ６とを含み、該温度センサによって水温はサーモスタットで調節される。フランジ７は温水容器１の上端に設けられ、該フランジ上にカバー８が嵌合し、温水容器１はボルト１８を用いて閉鎖可能である。カバー８を取り外すことによって、温度センサ６、加熱素子５および給排水接続部３，４も同様に取り外すことが可能である。
【００１７】
真空断熱ジャケット２は、高温である内壁９と周囲温度である外壁１０とによって規定される。本実施例において、内壁９は温水容器１の壁としての役割も果たす。
【００１８】
断熱ジャケット２の上端で、内壁９および外壁１０はそれぞれ、たとえば溶接または、はんだ付けなどをされた環状連結端１１と連結される。カバー８を温水容器１から取り外すために十分大きい開口部から離れている該連結端１１は、温水容器１の温水と接触する壁９から、たとえば５ｃｍの広い間隔をおいて位置する。
【００１９】
本実施例において、断熱ジャケット２の内壁９の上部は、連結端１１と連結端１３との間に位置する断熱ジャケット壁部１２によって形成され、該位置で、加熱容器１の上端はフランジ７および断熱ジャケット壁部１２の下端と連結される。薄壁で、ステンレス鋼などの熱伝導の低い材料で製造される断熱ジャケット壁部１２は、高温である温水容器１と、ほぼ室温である外壁１０との間で熱損失を制限するヒートブリッジを形成する。
【００２０】
温水容器１のカバー８とともに、適切な断熱ジャケット壁部１２はカバー８上部にカップ型空間を形成し、該空間はプラスチック発泡体などの従来の断熱材料１４によって充填される。
【００２１】
図は、一組の断熱発泡体１４のブロックを示し、該発泡体は壁に近接し、相互に適合し、該発泡体によって温水容器１の上端が断熱される。このようにして得られる効果は、ヒートブリッジとしての役割を果たす断熱ジャケット壁部１２による僅かな熱損失が、熱伝導による損失にほぼ完全に制限されていること
である。なぜならヒートブリッジでの放熱による損失は断熱材料１４によってほぼ完全に排除されるからである。
【００２２】
断熱材料１４内に、加熱素子５およびサーモスタットセンサ６への電流
を供給するための接続部２２の通路、および給水管３および排水管４の通路のための空間が残される。
【００２３】
断熱ジャケット２の外壁１０の強度は、外部からの損傷を防ぎ内部の真空に耐えるために、充填された温水容器１の付属品としての役割を果たせるほど十分でなければならない。この目的のため、水容量によって約０．４〜１．０ｍｍの鋼板を用いることができる。温水容器には、約０．２〜０．４ｍｍの厚みを有する耐食性クロムニッケル鋼を用いることができる。
【００２４】
断熱ジャケット壁部１２の高さおよび厚みは、熱伝導の損失を制限するために重要である。断熱ジャケット壁部１２は水との接触によって錆びにくく、断熱ジャケット内の真空の影響下でほぼ完全に引張り歪み内であることが非常に好ましい。この理由から、０．２ｍｍまでの厚みでもたとえば１０ワット／℃の熱伝導率を有する薄いステンレス鋼板から製造可能である。強度が真空圧と温水容器１の重量とに十分耐えることができる限り、部分的に真空に起因する変形が発生することはない。
【００２５】
断熱ジャケット１２の連結端１１に嵌合して、閉鎖キャップ１５が示されており、該キャップ内側には温度調節のための電子部品が設けられる。
【００２６】
断熱ジャケット２の真空内側には、真空壁を通過する放熱損失を抑制するための薄い反射フォイルからなる放熱スクリーン１６がさらに示される。
【００２７】
断熱ジャケット２の内側には、長期にわたり高真空を維持するゲッター材料１７用ホルダーが示される。
【００２８】
図２は、上部キャップ１５、断熱材料１４、水のホース３，４および電気接続部を取り外した後の図１のＡ−Ａ断面の平面図を示し、温水容器１のカバー８上部がナット１８で締結される様子がわかる。
【００２９】
図１および図２の構造において、温水器は少数の部品に容易に解体でき、メンテナンスに好都合である。加熱素子および温度センサへのプラグ接続を切り離した後、内部に電子部品が収容される閉鎖キャップ１５は個別に取り外し可能である。続いて断熱発泡体１４のブロックが取り外される。それからナット１８を取り外した後、カバー８が温水容器１から取り外し可能である。カバー８に取り付けられる給水開口部３および排水開口部４、温度センサ６および加熱素子５は、温水容器１からカバー８とともに取り外すことができ、個別に解体可能である。
【００３０】
機器の部品が寿命が尽き再利用されなければならない場合、解体可能であることは好都合である。フランジ７を有する断熱ジャケット壁２および断熱ジャケット壁部１２の全体はステンレス鋼からなってもよい。部品が切り離されるカバー８は、個別に再利用可能である青銅合金からなってもよい。電子部品を有するプラスチック製の閉鎖キャップ１５および断熱発泡体１４のブロックは、個別に再利用可能でなければならない。
【００３１】
図１において、円柱外壁１０は平坦なままである。特に幾分より大きい温水器において、強度または外観に配慮して、１つ以上の溝よび皺を設けることも好都合であるかもしれない。またカバー８下方の真空ジャケット２の直径を断熱ジャケット壁部１２の直径よりも大きくすることによって、温水容器１の容量を増加することも有効である。
【００３２】
図３は、真空断熱ジャケット２を有する温水器の長手方向断面図であり、該温水器内には温水および冷水用混合装置１９が備えられ、水抜き点には、温水容器１内の高温の湯より低い温度の温水が送り込まれる。本発明を用いることによって得られる効果は、外寸法が小さいため熱損失が僅かである温水器を水抜き点近傍に位置することができ、温水容器１の容量より大幅に大量の湯を供給することができることである。ここで流出する水は冷水と混合することによってあらゆる温度を有するが、温水容器内の湯は約１００℃に保たれる。
【００３３】
図４は温水器の断面図であり、該温水器において温水容器１と真空断熱ジャケット２は個別の部品であり、異なる材料から製造されてもよい。該温水容器１は、円柱ジャケット壁１ａと底壁１ｂ、およびカバー８とさらなる付属品とを含み、バケツ型断熱ジャケット２に上方から滑入される。真空断熱ジャケット２は内壁９と外壁１０とを含む。図１に示されるヒートブリッジとして機能する断熱ジャケット壁部１２は、断熱ジャケット２の内壁９の上端によって、環状連結端１１と環状領域制限２０との間にカバー８の上側と同じレベルで形成され、大部分を断熱材料１４で充填されるカップ型空間の底部を形成する。
【００３４】
図５は温水器の断面図であり、該温水器において図４の様に温水容器１と真空断熱ジャケット２とは個別の部品であり、相互に滑動させることができる。この場合、断熱ジャケット２は内壁９と外壁１０とからなり、該壁は上端と下端とで環状連結端１１，２１と連結される。このようにしてカップ型空間は両端で形成され、それぞれ従来の断熱材料１４，２３で充填される。図５に示される実施例において、給水管３は温水容器１の下端に通じる。配管３を介して供給される冷水が温水容器１上部に収容される温水と混合しないために、流入する水を横に方向修正するスクリーンキャップ２４が配管３の流出開口部上部に設けられる。
【００３５】
本発明は記載される実施例に限定されるものではなく、本発明の請求範囲内で様々な実施の形態が可能であることは明白であろう。適用可能な容量を増加させるために、温水器は複数の温水容器１を含んでもよく、各温水容器は独自の真空断熱ジャケットを備える。この実施の形態において、容器は直列に連結されてもよく、給水管３は第１の容器に連結され、排水管４は最終の容器に連結される。このような温水容器の直列連結においては、第１の容器だけが高容量の加熱素子５を備える必要があり、下流の温水容器は該温水器に収容される温水を所望の温度に維持するために十分な容量を有する加熱素子を備えるだけでよいことは自明である。
【図面の簡単な説明】
【図１】  真空断熱部を有する温水器の長手方向断面図であり、該温水器において温水容器の壁は殆ど真空断熱ジャケットの内壁からなる。
【図２】  図１の切断面線Ａ−Ａから見た横断面図である。
【図３】  真空断熱部を有する温水器の長手方向断面図であり、該温水器において上端に温水および冷水用の混合装置が備えられる。
【図４】  真空断熱部を有する温水器の長手方向断面図であり、該温水器において個別の温水容器がバケツ型真空断熱ジャケットに滑入する。
【図５】  温水器の断面図であり、該温水器において断熱ジャケットの内壁と外壁とは、上端および下端の連結端で連結される。
【図１】
0004766632.tif 000002
【図２】
0004766632.tif 000003
【図３】
0004766632.tif 000004
【図４】
0004766632.tif 000005
【図５】
0004766632.tif 000006